(57)【要約】本発明は、掃除機のための吸引取付体（９）に関する。当該取付体は、吸引ノズル（１１）と、当該取付体を前記掃除機の吸引チャネル（１５）に結合することができる結合部材（２１）とを有する。結合部材は、取付体の主な移動方向（Ｘ）に垂直に延在する旋回軸（３３）の周りで、前記吸引ノズルに対して旋回可能である。吸引ノズルは、当該吸引ノズル（１１）の前方端（４１）及び後方端（４３）の近くでそれぞれ延在する第１のブラシ（４７）及び第２のブラシ（５１）を有する。吸引ノズルは、更に、調整機構（５５、５７）を有し、該調整機構により、前記第１の及び前記第２のブラシは、前記第１の及び前記第２のブラシが前記吸引ノズルの底面（４５）に対して格納された位置にある第１の位置から、前記第１の及び前記第２のブラシが前記底面に対して突出した位置にある第２の位置に、調整されることができる。取付体は、更に、前記旋回軸の近くに構成された回転部材（３５）を有する。カーペット上では、第１の及び第２のブラシは、前記第１の格納位置にあり、回転部材は、カーペットと接触して支持力を与える。堅い床上では、第１の及び第２のブラシは、前記第２の突出位置にあり、回転部材は、堅い床上での前記取付体の悪い操作性を防止するために、掃除されるべき面と接触しない。本発明によれば、前記旋回軸（３３）は、前記主な移動方向（Ｘ）に見て、前記第１のブラシ（４７）と、前記第２のブラシ（５１）の少なくとも一部（７７、７９）との間に構成される。このような態様で、堅い床上での、即ち回転部材（３５）が堅い床と接触していないときの、吸引ノズル（１１）の安定な位置が達成される。
2006510433.tif 000002
【特許請求の範囲】
【請求項１】
掃除機のための吸引取付体であって、
−吸引ノズルと、
−前記吸引取付体の主な移動方向に垂直に延在する旋回軸の周りで前記吸引ノズルに対して旋回可能である、前記吸引取付体を前記掃除機の吸込チャネルに結合するための結合部材と、
−前記吸引ノズルの前方端及び後方端の近くでそれぞれ延在する第１の及び第２のブラシと、
−前記第１の及び前記第２のブラシが前記吸引ノズルの底面に対して格納された位置にある第１の位置から、前記第１の及び前記第２のブラシが前記底面に対して突出した位置にある第２の位置に、前記第１の及び前記第２のブラシを調整するための調整機構と、
−前記旋回軸の近くに構成された回転部材であって、動作中、前記第１の及び前記第２のブラシが前記第１の位置にあるときは、当該回転部材は掃除されるべき面と接触し、前記第１の及び前記第２のブラシが前記第２の位置にあるときは、当該回転部材は掃除されるべき前記面と接触しないような位置に構成される回転部材と、
を有する吸引取付体において、前記主な移動方向に見て、前記旋回軸は、前記第１のブラシと前記第２のブラシの少なくとも一部との間に配置されることを特徴とする吸引取付体。
【請求項２】
請求項１に記載の吸引取付体において、前記主な移動方向に見て、前記吸引ノズルは主にＶ字形の後方端を持ち、該後方端に沿って前記第２のブラシが延在し、前記旋回軸は、前記主な移動方向に見て、前記第１のブラシと前記第２のブラシの第１の及び第２の端部との間に配置されることを特徴とする吸引取付体。
【請求項３】
請求項１に記載の吸引取付体において、前記回転部材は前記旋回軸と一致する回転軸を持つことを特徴とする吸引取付体。
【請求項４】
請求項１に記載の吸引取付体において、前記回転部材は比較的堅い非弾性的な回転面を持つことを特徴とする吸引取付体。
【請求項５】
請求項１に記載の吸引取付体において、前記回転部材は前記吸引取付体の中心部分に設けられ、前記結合部材は前記旋回軸の周りで前記中心部分に対して旋回可能であり、前記吸引ノズルは前記旋回軸に平行に延在する追加の旋回軸の周りで前記中心部分に対して旋回可能であることを特徴とする吸引取付体。
【請求項６】
請求項５に記載の吸引取付体において、当該吸引取付体は、前記調整機構と協働するブロック機構を有し、当該ブロック機構は、前記第１の及び前記第２のブラシが前記第２の位置にあるときに、前記吸引ノズルを前記中心部分に対するブロック位置にブロックし、前記ブロック位置は、動作中、前記回転部材が掃除されるべき前記面と接触しないような位置であることを特徴とする吸引取付体。
【請求項７】
ハウジングと、前記ハウジングに収容される電気吸引ユニットと、吸引チャネルと、前記吸引チャネルを介して前記吸引ユニットに結合されることができる吸引取付体とを有する掃除機において、前記吸引取付体は請求項１、２、３、４、５、６又は７に記載の吸引取付体であることを特徴とする掃除機。
【発明の詳細な説明】
【技術分野】
【０００１】
本発明は、掃除機のための吸引取付体（suction attachment）であって、吸引ノズルと、前記吸引取付体の主な移動方向に垂直に延在する旋回軸の周りで前記吸引ノズルに対して旋回可能である、前記吸引取付体を前記掃除機の吸込チャネルに結合するための結合部材と、前記吸引ノズルの前方端及び後方端の近くでそれぞれ延在する第１の及び第２のブラシと、前記第１の及び前記第２のブラシが前記吸引ノズルの底面に対して格納された位置にある第１の位置から、前記第１の及び前記第２のブラシが前記底面に対して突出した位置にある第２の位置に、前記第１の及び前記第２のブラシを調整するための調整機構と、前記旋回軸の近くに構成された回転部材であって、動作中、前記第１の及び前記第２のブラシが前記第１の位置にあるときは、前記回転部材は掃除されるべき面と接触し、前記第１の及び前記第２のブラシが前記第２の位置にあるときは、前記回転部材が掃除されるべき前記面と接触しないような位置に構成される回転部材とを有する取付体に関する。
【０００２】
本発明は、更に、ハウジングと、前記ハウジングに収容される電気吸引ユニットと、吸引チャネルと、前記吸引チャネルを介して前記吸引ユニットに結合されることができる、冒頭段落で説明された種類の吸引取付体とを有する掃除機に関する。
【背景技術】
【０００３】
冒頭段落で説明された種類の吸引取付体及び掃除機は、ヨーロッパ特許第０１５８１４５号から知られている。既知の吸引取付体の結合部材は、既知の掃除機の吸引チューブに結合されることができる。既知の吸引取付体の回転部材は、結合部材の旋回軸の直下の吸引ノズルの中心部分に取り付けられる一対のキャスタを有する。動作中、掃除機のユーザは、掃除されるべき面上で吸引ノズルを移動させるために吸引チューブに力を加える。キャスタの機能は、ユーザによって加えられる前記力の垂直下方向の成分に対して補償する垂直支持力を提供することであり、このため、前記垂直成分の影響下の吸引ノズルの非所望の旋回運動は制限される。既知の吸引取付体においては、キャスタは、第１の及び第２のブラシが第１の格納位置にあるとき、即ち、吸引取付体がカーペット上で用いられるとき、掃除されるべき面と接触しており、キャスタは、第１の及び第２のブラシが第２の突出位置にあるとき、即ち、吸引取付体が堅い床の上で用いられるとき、掃除されるべき面と接触しない。このようにして、特に、キャスタがゴム等の柔らかい弾性的に変形可能な材料からできているときに、キャスタが堅い床上での吸引取付体の操作性に悪影響を与えることが防止される。堅い床上では、キャスタは、特に、吸引取付体の主な移動方向に垂直な方向における吸引取付体の操縦性に悪影響を与えることとなる。
【０００４】
既知の吸引取付体及び既知の掃除機の欠点は、第１の及び第２のブラシが第２の突出位置にあるときに、堅い床の上での吸引ノズルの位置が、安定でないということである。このような場合、吸引ノズルは、専ら第１の及び第２のブラシを介して堅い床上に載る。ユーザが、吸引ノズルを床上で動かすために吸引チューブに力を加えると、吸引ノズルは、前記力の垂直成分の影響を受けて第２のブラシの周りで旋回しうる。吸引ノズルの前記旋回運動の結果、吸引ノズルの吸引力は、大幅に減少する。更に、吸引ノズルの前記旋回運動の結果としてキャスタは堅い床と接触する可能性があり、このため床上での吸引取付体の操作性は悪影響を受ける。
【発明の開示】
【発明が解決しようとする課題】
【０００５】
本発明の目的は、冒頭段落で説明された種類の吸引取付体及び掃除機において、堅い床の上での吸引ノズルの位置の安定性が改善され、これにより、既知の吸引取付体の上述の欠点が可能な限り防止される、吸引取付体及び掃除機を提供することである。
【課題を解決するための手段】
【０００６】
上記目的を達成するために、本発明による吸引取付体は、主な移動方向に見て、前記旋回軸が、前記第１のブラシと前記第２のブラシの少なくとも一部との間に配置されることを特徴とする。
【０００７】
上記目的を達成するために、本発明による掃除機は、該掃除機において用いられる吸引取付体が本発明による吸引取付体であることを特徴とする。
【０００８】
本発明は、掃除されるべき面上で吸引ノズルを動かすためにユーザによって加えられる力は、結合部材が吸引ノズルに対して旋回可能である旋回軸の位置で吸引ノズルに導入されるという見識に基づく。本発明によって、前記旋回軸が前記第１のブラシと前記第２のブラシの少なくとも一部との間に配置されることの結果、堅い床上では、即ち、吸引ノズルが前記床上に専ら前記第１の及び前記第２のブラシを介して載るときには、以下の効果が達成される。旋回軸の位置で吸引ノズルに導入される、第２のブラシの前記一部の周りで吸引ノズルに加えられると共にユーザの力の垂直成分に関連する力学モーメントは、第１のブラシと旋回軸との間にある、第２のブラシの前記一部の周りで吸引ノズルに加えられると共に第１のブラシと第２のブラシの残りの部分とによって与えられる垂直支持力に関連する力学モーメントによって補償される。その結果、ユーザの力の前記垂直成分の影響下での第２のブラシの前記一部の周りの吸引ノズルの旋回運動は防止される。更に、第２のブラシの前記残りの部分の周りで吸引ノズルに加えられると共にユーザの力の垂直成分に関連する力学モーメントは、第２のブラシの前記残りの部分の周りで吸引ノズルに加えられると共に第２のブラシの前記一部によって与えられる垂直支持力に関連する力学モーメントによって補償される。その結果、ユーザの力の前記垂直成分の影響下での第２のブラシの前記残りの部分の周りの吸引ノズルの旋回運動も防止される。このような態様で、ユーザの力の垂直成分の影響下での第２のブラシのあらゆる部分の周りでの吸引ノズルの旋回運動が防止されるので、堅い床の上での吸引ノズルの位置の改善された安定性が達成される。
【０００９】
本発明による吸引取付体の特定の実施例は、主な移動方向に見て、吸引ノズルが主にＶ字形の後方端を持ち、この後方端に沿って第２のブラシが延在し、前記旋回軸は、主な移動方向に見て、前記第１のブラシと前記第２のブラシの第１の及び第２の端部との間に構成されることを特徴とする。後方端がＶ字型であることの結果、旋回軸は吸引ノズルの外形（contours）の外側に位置するが、該旋回軸は第１のブラシと第２のブラシの少なくとも一部との間に構成される、構造が可能とされる。第２のブラシの前記一部は第２のブラシの前記端部によって形成され、これらは、後方端がＶ字型であることの結果、前方端から見て、旋回軸の後ろに位置する。吸引ノズルの外形の外の旋回軸の前記位置は、構造的な観点から効率的且つ実際的である。
【００１０】
本発明による吸引取付体の特定の実施例は、前記回転部材が前記旋回軸と一致する回転軸を持つことを特徴とする。その結果、単一のシャフトが、結合部材を旋回させるために、及び、回転部材を吸引ノズルに対して軸支するために、用いられることができ、これにより、単純で実際的な構造が達成される。
【００１１】
本発明による吸引取付体の特定の実施例は、前記回転部材が比較的堅い非弾性的な回転面を持つことを特徴とする。本発明による吸引取付体においては回転部材の堅い床との接触が防止されるので、回転部材は、回転部材と堅い床との間の接触によって生じるガタガタいう音（rattling noise）を防止するために、比較的柔らかい弾性的に変形可能な回転面を持つ必要がない。比較的堅い非弾性的な回転面は、カーペットを掃除するときに、即ち第１の及び第２のブラシが第１の格納位置にあり回転部材がカーペットと接触しているときに、吸引取付体の操作性を向上させる。堅い非弾性的な回転面は、回転部材とカーペットとの間の接触の結果としてのいかなる非所望の騒音をも発生させない。
【００１２】
本発明による吸引取付体の特定の実施例は、前記回転部材は前記吸引取付体の中心部分に設けられ、前記結合部材は前記旋回軸の周りで前記中心部分に対して旋回可能であり、前記吸引ノズルは前記旋回軸に平行に延在する追加の旋回軸の周りを前記中心部分に対して旋回可能であることを特徴とする。前記追加の旋回軸の使用の結果として、吸引ノズルは、中心部分に対する結合部材の角度的な位置とは独立して前記中心部分に対して旋回することができる。その結果、動作中、吸引ノズルは、吸引ノズルに存在する負圧の影響下で、掃除されるべき面に可能な限り近い位置に、常に保持される。
【００１３】
本発明による吸引取付体の他の実施例は、当該吸引取付体は、前記調整機構と協働するブロック機構を有し、当該ブロック機構は、前記第１の及び第２のブラシが前記第２の位置にあるときに、前記吸引ノズルを前記中心部分に対するブロック位置にブロックし、前記ブロック位置は、動作中、前記回転部材が掃除されるべき前記面と接触しないような位置であることを特徴とする。前記ブロック機構の結果、前記吸引取付体が堅い床上で用いられ第１の及び第２のブラシが第２の突出位置にあるとき、追加の旋回軸の周りの吸引ノズルに対する吸引取付体の中心部分の旋回動作の結果として、回転部材が堅い床と接触しうることが防止される。
【発明を実施するための最良の形態】
【００１４】
本発明による吸引取付体及び本発明による掃除機の以下の実施例において、本発明は、図を参照して詳細に説明される。
【００１５】
図１に図式的に示されている本発明による掃除機は、いわゆる円筒形又はキャニスタ型掃除機であり、掃除されるべき面５上で車輪３によって移動されることができるハウジング１を有する。ハウジング１は、図１には図式的にしか示されない電気的吸引ユニット７を収容する。掃除機は、更に、本発明による吸引取付体９を有し、この吸引取付体９は、図１には図式的にのみ示され、吸引口１３を持つ吸引ノズル１１を有する。吸引取付体９は、吸引チャネル１５を介してハウジング１に着脱可能に結合され、示される実施例では、該吸引チャネル１５は、金属吸引チューブ１７及びフレキシブルな吸引ホース１９を有する。吸引取付体９は、結合部材２１を有し、該結合部材２１によって、該吸引取付体９が吸引チューブ１７に着脱可能に結合される一方で、該吸引チューブ１７は、吸引ホース１９に取り付けられたチューブ状グリップ２３に着脱可能に結合される。吸引ホース１９は、ハウジング１の吸引入力２５に着脱可能に結合される。吸引入力２５は、ハウジング１の集塵室２７に入るよう開いており、この集塵室２７は、フィルタ２９を介して吸引ユニット７に接続される。
【００１６】
図１の掃除機において用いられる吸い込み取付体９は、図２、３、４及び５において詳細に示され、吸引取付体９の以下の説明は、これら全ての図面を参照する。結合部材２１はチューブ状であり、図２、３、４、５においては詳細に示されない、吸引取付体９を吸引チューブ１７に結合するための結合手段を有する。結合部材２１は、吸引取付体９の中心部分３１に対して、主な移動方向Ｘに垂直に延在する旋回軸３３の周りを旋回可能であり、前記主な移動方向Ｘは、吸引取付体９が動作中掃除されるべき面５上で主に移動されるべき方向である。従って、結合部材２１は、吸引ノズル１１に対しても旋回可能である。図４においては、結合部材２１は、矢印Ａによって示される、中心部分３１に対して最も低い旋回した位置に示されている一方で、図５においては、結合部材２１は、矢印Ａ’によって示される、中心部分３１に対して最も高い旋回した位置に示されている。前記最低及び前記最高の旋回した位置は、ここでは詳細に説明されない、適切な接合部によって規定される。中心部分３１は、主な移動方向Ｘに垂直に延在する回転軸３７を持つ回転部材３５を有する。示される実施例において、回転部材３５の回転軸３７は、旋回軸３３と一致し、該旋回軸３３の周りで、結合部材２１が中心部分３１に対して旋回可能である。これは、結合部材２１を旋回させると共に回転部材３５を中心部分３１に対して軸支するための単一の軸３９の使用によって実現される。このようにして、前記旋回軸３３のための及び前記回転軸３７のための単純で実用的な構造が達成される。
【００１７】
図２及び３に示されるように、吸引ノズル１１は、主な移動方向Ｘに見た場合、主にＶ字型であり、該吸引ノズル１１は、主にＶ字形の前方端４１と、主にＶ字形の後方端４３と、前記前方端４１と前記後方端４３との間の吸引ノズル１１の底面４５に位置した主にＶ字形の吸引口１３とを持つ。前方端４１と吸引口１３との間には主にＶ字形の第１のブラシ４７が存在し、該第１のブラシ４７は、前方端４１の近くで該前方端４１に沿って延在すると共に、吸引ノズル１１の底面４５に設けられた第１の主にＶ字形の凹部４９に収容される。後方端４３と吸引口１３との間には主にＶ字形の第２のブラシ５１が存在し、該第２のブラシ５１は、後方端４３の近くで後方端４３に沿って延在すると共に、吸引ノズル１１の底面４５に設けられた第２の主にＶ字形の凹部５３に収容される。吸引取付体９は、更に、調整機構を有し、該機構により、第１の及び第２のブラシ４７、５１は、第１の及び第２のブラシ４７、５１が、吸引ノズル１１の底面４５に対して格納位置にある、図４に示される第１の位置から、第１の及び第２のブラシ４７、５１が、吸引ノズル１１の底面４５に対して突出位置にある、図５に示される第２の位置に、調整されることができる。前記調整機構は、動作ノブ５５を有する。当該動作ノブ５５は、吸引ノズル１１の上側に設けられ、当該動作ノブ５５がユーザによってスイッチされると第１の及び第２のブラシ４７、５１の共通キャリア５７を移動するように設計されている移動機構と協働する。動作ノブ５５及び共通キャリア５７は図４及び５に示されるが、前記移動機構は、詳細に説明されず、掃除機の吸引ノズルにおいて一般に使用される種類のものであってよい。
【００１８】
吸引ノズル１１は、吸引取付体９の中心部分３１に対して、旋回軸３３に平行に延在する追加の旋回軸５９の周りで旋回可能であり、結合部材２１は旋回軸３３の周りで中心部分３１に対して旋回可能である。図４においては、吸引ノズル１１は、最も低い旋回した位置に示され、ここで、吸引ノズル１１の前方端４１は、矢印Ｂによって示される、中心部分３１に対して最も低い位置にある一方で、図５においては、吸引ノズル１１は、最も高い旋回した位置に示され、ここで、吸引ノズル１１の前方端４１は、矢印Ｂ’によって示される、中心部分３１に対して最も高い位置にある。前記最低及び前記最高の旋回した位置は、ここでは詳細に説明されない、適切な接合部によって規定される。示される実施例においては、追加の旋回軸５９が、主な変位方向Ｘに垂直に延在する軸６１によって設けられる。この軸６１は、前述された第１の及び第２のブラシ４７、５１のための調整機構の移動機構に属し、中心部分３１に対して追加のジャーナル（図中で示されない）を持ち、これが追加の旋回軸５９を与える。追加の旋回軸５９の結果として、吸引ノズル１１は、中心部分３１に対して、中心部分３１に対する結合部材２１の角度位置とは独立して旋回することができる。その結果、動作中、吸引ノズル１１は、吸引口１３に存在する負圧の影響の下で、常に、掃除されるべき面５に可能な限り近く平行に保持される。このようにして、前記負圧及び吸引ノズル１１の吸引力に悪影響を及ぼす、吸引ノズル１１と掃除されるべき面５との間の隙間は、可能な限り制限される。  
【００１９】
吸引取付体９がカーペットを掃除するのに用いられる場合、ユーザは、動作ノブ５５によって、第１の及び第２のブラシ４７、５１を、図４に示される第１の格納位置に調整しなければならない。吸引取付体９が堅い床を掃除するのに用いられる場合、ユーザは、第１の及び第２のブラシ４７、５１を、図５に示される第２の突出位置に調整しなければならない。動作中、ユーザは、吸引ノズル１１を、掃除されるべき面５上で動かすために力ＦＵを加える。力ＦＵは、結合部材２１に伝達され、吸引取付体９の中心部分３１に、結合部材２１が中心部分３１に対して旋回可能である旋回軸３３の位置で導入される。図４及び５に示されるように、力ＦＵは、通常、垂直下方向成分ＦＵＶ及び水平成分ＦＵＨを持ち、この水平成分ＦＵＨは、ユーザが吸引ノズル１１を動かしたい方向に応じて、主な移動方向Ｘ又はこの方向Ｘの反対方向に向けられる。図４に示される第１の及び第２のブラシ４７、５１の第１の格納位置において、回転部材３５は、掃除されるべき面５、即ちカーペットと接触している。この状況において、回転部材３５は、ユーザの力の垂直成分ＦＵＶを部分的に又はほぼ完全に補償する垂直支持力ＦＳを与える。このようにして、ユーザの力の垂直成分ＦＵＶは、中心部分３１の、そして、カーペット上での吸引ノズル１１の、非所望の旋回運動を生じさせることができず、従って、回転部材３５は、カーペット上の吸引ノズル１１の安定な位置を与える。示される実施例において、回転部材３５は、比較的堅い、非弾性的な回転面６３を持ち、これは、例えば、吸引取付体９のハウジングと同じ堅い合成材料でできている。比較的堅い非弾性的な回転面６３は、カーペット上での吸引取付体９の操作性を改良し、カーペット上で転がすときに回転部材３５のいかなる非所望の騒音も生じさせない。
【００２０】
図５に示される第１の及び第２のブラシ４７、５１の第２の突出位置において、回転部材３５は、掃除されるべき面、即ち堅いフロアと接触しない。このようにして、回転部材３５が堅い床上での吸引取付体９の操縦性に悪影響を及ぼすことが防止される。回転部材３５と堅い床との間の接触が許可されるならば、回転部材３５の回転面６３は、堅い床上で転がすときに回転部材３５の非所望のガタガタいう騒音を防止するために、ゴム等の比較的柔らかい弾性的な材料から作られなければならない。その結果、回転部材３５は、吸引取付体９の操作性に悪影響を与えることとなる。なぜなら、柔らかい弾性的な回転面６３は、回転部材３５と堅い床との間に比較的高い摩擦力を与え、これは、主な移動方向Ｘに垂直な方向の、吸引取付体９の移動を妨げることとなるか、又はこのような垂直方向の移動を不可能にさえするからである。第１の及び第２のブラシ４７、５１の第２の突出位置において、回転部材３５が、追加の旋回軸５９の周りでの吸引ノズル１１に対する中心部分３１の旋回運動の結果として堅い床と接触することを防止するために、吸引取付体９はブロック機構を有し、このブロック機構は、第１の及び第２のブラシ４７、５１の調整機構と協働し、第１の及び第２のブラシ４７、５１が第２の突出位置にあるときに、中心位置３１に対するブロック位置に吸引ノズル１１をブロックする。図５に示されるように、前記ブロック機構はフランジ６５を有し、該フランジ６５は、第１の及び第２のブラシ４７、５１の共通キャリア５７上に設けられ、第１の及び第２のブラシ４７、５１の第２の突出位置においては、中心部分３１のフレーム位置６９に設けられる凹部６７と嵌合する。図５に示されるように、前記ブロック位置は、中心部分３１に対する吸引ノズル１１の最も高い旋回した位置に対応する。    
【００２１】
従って、堅い床の上では、回転部材３５は、吸引ノズル１１に垂直支持力を与えない。ユーザの力の垂直成分ＦＵＶの影響の下で、吸引ノズル１１が、吸引ノズル１１の後方端４３の近くで延在する第２のブラシ５１の周りで不所望の旋回運動をすることを防止するために、結合部材２１が周りを中心部分３１に対して旋回可能な旋回軸３３は、主な移動方向Ｘに見て、第１のブラシ４７と第２のブラシ５１の少なくとも一部との間に構成される。図３に示されるように、このことは、第２のブラシ５１が吸引ノズル１１の主にＶ字形の後方端４３に沿って延在し、このため、第２のブラシ５１の中心部分７１と、前記中心部分７１に隣接した第２のブラシ５１の第１の及び第２の斜めを向いた部分７３、７５（以下では合わせて第２のブラシ５１の第１の部分と呼ばれる）は、第１のブラシ４７から見て旋回軸３３の前に構成され、第２のブラシ５１の第１の及び第２の端部７７、７９（以下では合わせて第２のブラシ５１の第２の部分と呼ばれる）は、第１のブラシ４７から見て旋回軸３３の後ろに構成される、ことにより達成される。このように、旋回軸３３は、主な移動方向Ｘから見て、第１のブラシ４７と、第２のブラシ５１の前記第１の及び前記第２の端部７７、７９との間に配置される。示される実施例においては、第２のブラシ５１の前記第１の及び前記第２の端部７７、７９は、主な移動方向Ｘに垂直に延在する。しかし、前記第１の及び前記第２の端部７７、７９が、代わりに、第１の及び第２の斜めに向いた部分７３、７５に沿って、主な移動方向Ｘに対して斜めに向いてもよいことに注意されたい。第２のブラシ５１及び後方端４３の上述された主にＶ字形の方向性の結果、旋回軸３３が吸引ノズル１１の外形の外に位置するが、それでもなお、旋回軸３３は第１のブラシ４７と第２のブラシ５１の少なくとも一部との間に構成され、吸引ノズル１１の堅い床の上での位置の安定性を向上させる、構造が可能にされる。吸引ノズル１１の外形の外の旋回軸３３の位置は、構造上の観点から効率的且つ実用的である。吸引ノズル１１の構造は、該吸引ノズル１１に前記旋回軸３３を設けるように適応される必要がないので、吸引ノズル１１の構造は、最適な吸引能力を達成するのに完全に最適化されることができる。
【００２２】
ユーザの力の垂直成分ＦＵＶの影響下での第２のブラシ５１の周りの吸引ノズル１１の不所望な旋回運動は、以下のように防止される。図６は、第１の及び第２のブラシ４７、５１が第２の突出位置にある、堅い床５の上にある吸引ノズル１１を図式的に示す。ユーザの力の垂直下向成分ＦＵＶは、吸引ノズル１１に、主な移動方向Ｘに見て第１のブラシ４７と第２のブラシ５１の第２の部分７７、７９との間に位置する旋回軸３３の位置において導入される。第１のブラシ４７は垂直支持力ＦＳ１を与える一方で、第２のブラシ５１の第１の位置７１、７３、７５は垂直支持力ＦＳ２１を与え、第２のブラシ５１の第２の部分７７、７９は垂直支持力ＦＳ２２を与える。図６中で、力ＦＵＶ、ＦＳ１、ＦＳ２１、ＦＳ２２は、図式的にのみ示され、正確な比例関係ではないことに注意されたい。ユーザの力の垂直成分ＦＵＶ及び支持力ＦＳ１は、合わせて、第２のブラシ５１の第１の部分７１、７３、７５の周りで吸引ノズル１１に時計回りの方向の力学モーメントＭ１を加える。この力学モーメントＭ１は、反対方向の補償力学モーメントＭ１’によって補償され、この補償力学モーメントＭ１’は、第２のブラシ５１の第２の部分７７、７９によって与えられる支持力ＦＳ２２によって第２のブラシ５１の第１の部分７１、７３、７５の周りで吸引ノズル１１に加えられる。同様に、ユーザの力の垂直成分ＦＵＶは、第２のブラシ５１の第２の部分７７、７９の周りで吸引ノズル１１に反時計回りの方向に力学モーメントＭ２を加える。この力学モーメントＭ２は、反対方向の補償力学モーメントＭ２’によって補償され、この補償力学モーメントＭ２’は、第１のブラシ４７によって与えられる支持力ＦＳ１によって、及び、第２のブラシ５１の第１の部分７１、７３、７５によって与えられる支持力ＦＳ２１によって、第２のブラシ５１の第２の部分７７、７９の周りで吸引ノズル１１に加えられる。その結果、ユーザの力の垂直成分ＦＵＶの影響下における、第２のブラシ５１の第１の部分７１、７３、７５の周りでの、また、第２のブラシ５１の第２の部分７７、７９の周りでの、吸引ノズル１１の旋回運動は防止され、このため、堅い床５の上の吸引ノズル１１の安定位置が達成される。
【００２３】
本発明が、第１のブラシと第２のブラシの少なくとも一部との間の旋回軸の構成が異なった構造によって達成される実施例も含むことに注意されたい。吸引取付体は、例えば、第１の及び第２のブラシであって、両方とも直線であり主な移動方向に対して垂直に向くブラシを有してもよい。このような実施例において、旋回軸が第１のブラシと第２のブラシ全体との間に構成されるように、該旋回軸は吸引ノズルの外形内に構成されてもよい。
【００２４】
上述の吸引取付体９において、回転部材３５の回転軸３７は、結合部材２１が吸引ノズル１１に対して旋回可能な旋回軸３３と重なる。本発明は、回転部材３５が異なった態様に構成される実施例も含む。しかし、本発明の各実施例において、回転部材は、前記旋回軸の近くに、即ち近傍に配置される。この文脈において、「近い」という表現は、回転部材の回転の軸と旋回軸との間に存在する距離が、吸引ノズルの主な寸法に対して非常に小さいというように解されるべきである。このような態様で、カーペット上で、旋回軸の位置で吸引ノズルに導入される、ユーザの力の垂直成分は、回転部材を介して吸引ノズルに実質的な力学モーメントを生じさせることなく、掃除されるべき面にほぼ直接的に伝達されることが達成される。
【００２５】
更に、本発明は、吸引ノズルが、吸引取付体の、回転部材が設けられる位置に対して旋回可能でない実施例も含むことに注意されたい。
【００２６】
更に、本発明は、吸引取付体を掃除機の吸引チャネルに結合することができる結合部材が異なった構造又は構成を持つ実施例も含むことに注意されたい。結合部材は、例えば、吸引チューブ１７の一部を含んでよく、又は吸引チューブ１７全体さえも含んでよい。
【００２７】
最後に、本発明が、いわゆる直立型掃除機も含むことに注意されたい。このような直立型掃除機において、吸引取付体は、例えば、吸引ユニットを収容するハウジングが取り付けられる筒状支持体に旋回可能に結合されるか、又は、前記ハウジングに旋回可能に直接結合される。
【図面の簡単な説明】
【００２８】
【図１】本発明による吸引取付体を備えた本発明による掃除機を図式的に示す。
【図２】図１の掃除機において用いられる本発明による吸引取付体を詳細に示す。
【図３】図２の吸引取付体の下面図を詳細に示す。
【図４】吸引取付体の第１の及び第２のブラシが第１の格納位置に示されている、図３の線Ａ−Ａに沿った断面図を詳細に示す。
【図５】吸引取付体の第１の及び第２のブラシが第２の突出位置に示されている、図３の線Ａ−Ａに沿った断面図を詳細に示す。
【図６】図５に示される第２の突出位置において第１の及び第２のブラシによって与えられる支持力を図式的に示す。
【図１】
2006510433.tif 000003
【図２】
2006510433.tif 000004
【図３】
2006510433.tif 000005
【図４】
2006510433.tif 000006
【図５】
2006510433.tif 000007
【図６】
2006510433.tif 000008
【国際調査報告】
2006510433.tif 000009
2006510433.tif 000010
2006510433.tif 000011